(57)【要約】  底面（５）、対向側壁（６）、水中タンク（２）の水排出末端部にて取り外し可能なゲート（１０、１１）を有するゲート組立部（８）、ならびにその底面（５）まで下方にかつそのゲート組立部（８）の方向に伸びたランプ（９）を有するタンク（２）の取水末端部にて末端壁組立部（７）を有する魚を収容するための水中タンク（２）を含む魚を養殖するための浮揚性水路（１）。また、水路（１）は、タンク（２）の頂部を水位を超えて保つための側壁（６）の長さに伸びるフロート（３）、酸素処理水を取水末端部にてタンク（２）に誘導するための給気部に連結可能なエアリフト組立部（４）、およびその底面（５）に沿ってタンク（２）を通って水の流れを方向付ける調節板（１４）を含む。水路（１）は、それを通って魚の排出物の移動を可能とする一対のスクリーン・ゲート（１０）および水がタンク（２）から排出されるのを実質的に防止するための一対の停止ゲート（１１）を有する。
2005508644.tif 000002
【特許請求の範囲】
【請求項１】
水生生物を養殖するための浮揚性水路であって、
側壁に対向する底面、タンクの水排出末端部にて２以上の取り外し可能なゲートを有するゲート組立部、およびその底面まで下方にかつそのゲート組立部の方向に伸びるランプを有するタンクの取水末端部にて末端壁組立部を有する魚のごとき水生生物を収容する部分的水中タンク；
タンクの頂部を水位を超えて保つ１以上のフロート；
酸素処理水を取水末端部にてタンクに誘導するための給気部に連結可能なエアリフト組立部；および
そのタンクを通ってその底面に沿って流れる水を方向付ける調節板を含み、
ここに、１以上の該ゲートは、水生生物の排出物の移動をそれを通して可能とするスクリーン・ゲートであって、１以上の該ゲートは、タンクからの水の排出を実質的に防止するための停止ゲートである該水路。
【請求項２】
該フロートが、各々の該側壁の上部領域に沿って伸びる請求項１記載の水路。
【請求項３】
該フロートが空気を充填した細長いハウジングを含み、該ハウジングが通路として機能する請求項２記載の水路。
【請求項４】
エアリフト組立部がタンクの幅を横切って酸素化された水を誘導するための複数の通路を含む請求項１記載の水路。
【請求項５】
エアリフト組立部が、給気部から通路へ空気を供給するためのマニホールドを含む請求項４記載の水路。
【請求項６】
通路が、一対の間隙壁および該間隙壁間で相互に平行に伸びる複数の間隙中間壁により設けられ、かつ、各々の該通路の頂部はランプ上に位置し、各々の該通路の底部がマニホールドにより送気される請求項５記載の水路。
【請求項７】
末端壁組立部が、通路の頂部に隣接するランプから上方に伸びるスクリーンを含み、かつスクリーンが、それを通して酸素化された水を流すことができる開口部を有する請求項６記載の水路。
【請求項８】
ランプが、底面まで曲線状に伸びる請求項１記載の水路。
【請求項９】
さらに、水路に収納された水域内の魚がエアリフト組立部へ接近するのを防止するためのスクリーン・バリアーを含む請求項１記載の水路。
【請求項１０】
側壁に配置された調節板の頂部および側壁間に伸びる調節板の下端を持つ側面図中で観察する場合に調節板がＴ型である請求項１記載の水路。
【請求項１１】
ゲート組立部が、一対の該スクリーン・ゲートおよび一対の該停止ゲートをスライド可能に支える間隔を有する骨組みを含み、ここに、その対の該スクリーン・ゲートは、第１の平面内に伸び、かつその対の停止ゲートは、第１の平面とは間隔を開け、それと平行である第２の平面で伸びる請求項１記載の水路。
【請求項１２】
骨組みの頂部が通路として機能する請求項１１記載の水路。
【請求項１３】
さらに、タンクの取水末端部および排出末端部間に分かれかつ可動のスクリーン・プッシュ・ゲートを含み、ここに、スクリーン・プッシュ・ゲートがあるサイズの水生生物がそれを通って泳ぐのを可能とする開口部を有する請求項１記載の水路。
【請求項１４】
各々の該側壁がそれに沿って伸びるトラックを有し、そのプッシュ・ゲートが、トラック内でスライド可能な開口末端部を有する請求項１３記載の水路。
【請求項１５】
さらに、タンクを隠すおよび捕食者からタンク内の水生生物を保護する双方のためのフロートに連結可能な１以上のカバーを含む請求項１記載の水路。
【請求項１６】
各々の該側壁および該フロートの区域と一緒の底面の区域が、タンク伸長モジュールを含み、２以上の該タンク伸長モジュールがタンクの長さを増大させるように末端と末端を接して連結可能である請求項１記載の水路。
【請求項１７】
ゲート組立部が、該タンク伸長モジュールの自由端に連結可能である請求項１６記載の水路。
【請求項１８】
末端壁組立部が、該タンク側壁およびフロートの各々の区域を有する一部分のエアリフト・ハウジング・モジュールであり、エアリフト・ハウジング・モジュールの各々の該側壁が末端壁組立部を過ぎて伸び、エアリフト組立部の対向末端をスライド可能に支えるためのトラックまたは陥凹部を有し、エアリフト・ハウジング・モジュールが該タンク伸長モジュールの自由端に連結可能ある請求項１７記載の水路。
【請求項１９】
タンク伸長モジュールおよびエアリフト・ハウジング・モジュールが、一緒に連結できる側面に沿って伸びるフランジを有し、ゲート組立部が該タンク伸長モジュールのフランジに連結可能なフランジを有する請求項１８記載の水路。
【請求項２０】
２つの該タンク伸長モジュール間に連結可能な少なくとも一つのさらなるゲート組立部をさらに含む請求項１９記載の水路。
【請求項２１】
水生生物排出物の収集および配置のためのゲート組立部に連結した排出物収集モジュールをさらに含み、ここに、該排出物収集モジュールが：
ポンプに連結可能な溝を有する底部壁；
底部壁から伸びる一対の直立した壁；
排水口を有し、直立した壁の間に伸び、底部壁から上方でかつ外部に傾斜する外側壁；
溝に採取された水生生物排出物を除去するための排出物抽出システム；および
水の流れを溝に方向付け、外壁に対する水の流速を低下させるための直立した壁間に伸びる調節板を含む請求項１記載の水路。
【請求項２２】
溝が、底部壁を横切って一方の該直立した壁から他の直立した壁に伸びる請求項２１記載の水路。
【請求項２３】
排出物抽出システムが、溝に連結した排水管および該管に連結した真空ポンプを含む請求項２１記載の水路。
【請求項２４】
排出物収集モジュール調節板が、その収集モジュール調節板の頂部が直立した壁上に配置され、調節板の下端は、直立した壁間から外壁排水口下の点まで伸びる側面図で観察する場合にＴ型である請求項２１記載の水路。
【請求項２５】
外壁排水口がメッシュで仕切られる請求項２１記載の水路。
【発明の詳細な説明】
【発明の詳細な説明】
【０００１】
本発明は、水生生物を養殖するための水路（raceway）に関する。特に、本発明は、魚を養殖するのに適当な浮揚性水路に関連する。
【０００２】
その水路は、主として魚を養殖するために開発され、従って、この文脈において記載されるであろう。しかしながら、水路は、例えば、軟体動物および甲殻類動物のごとき他のタイプの生物を養殖するために用いることができると理解されるべきである。
【０００３】
発明の背景
魚養殖システムが知られている。かかるシステムには、ケージおよび池養殖システムが含まれる。これらのタイプのシステムでの不利は、それらが養殖条件の全体的なモニタリングおよびコントロールを可能としない、それらが全般的な成長、衛生および病気につき貯蔵した魚を密接にモニターするのを可能としない、また、それらが魚の貯蔵の容易な取り扱いを可能としないことを含む。さらに、病気の発生がある事象において、全水域が処置される必要があり、多数の時間がそのケージおよびネットを清潔にするために要求され得る。
【０００４】
発明の目的
前記に参照される少なくとも一つの不利を最小限とするように、あるいは有用なまたは商業的な選定を公衆に提供するために魚のごとき水生生物を養殖するための水路を提供することが本発明の目的である。
【０００５】
発明の概要
本発明により、水生生物を養殖するための浮揚性水路であって、
側壁に対向する底面、タンクの水排出末端部にて２以上の取り外し可能なゲートを有するゲート組立部、およびその底面まで下方にかつそのゲート組立部の方向に伸びるランプを有するタンクの取水末端部にて末端壁組立部を有する魚のごとき水生生物を収容する部分的水中タンク；
タンクの頂部を水位を超えて保つ１以上のフロート；
酸素処理水（oxygenated water）を取水末端部にてタンクに誘導するための給気部に連結可能なエアリフト組立部；および
そのタンクを通ってその底面に沿って流れる水を方向付ける調節板を含み、
ここに、１以上の該ゲートは、水生生物の排出物（waste）の移動をそれを通して可能とするスクリーン・ゲートであって、１以上の該ゲートは、タンクからの水の排出を実質的に防止するための停止ゲートである該水路が提供される。
【０００６】
本発明の詳細な記載
そのタンクは、いずれかの適当な型およびサイズならびにいずれかの適当な構造のものであり得、但し、そのタンク内の側壁および底面表面は滑らかである。好ましくは、その底面は、縦長であって、その側壁は、相互に実質的に平行でかつ底面から垂直に伸びる。必要ならば、リブのごとき補強構造が、側壁および底面の外部表面に沿って伸ばすことができる。そのタンクは、プラスチック材料またはいずれかの他の適当なタイプの材料もしくは材料群を含み得る。側壁および底面は、単一構造のものであり、例えば、鋳型から製造できる。
【０００７】
いずれかの適当なタイプのフロートを用いることができる。好ましくは、１以上のフロートは、各々の該側壁の上部領域に沿って伸び、通路として機能する。各フロートは、空気を充填した細長いハウジングを含み得る。好ましくは、各ハウジングは、実質的に直角横断面のものである。そのフロートハウジングは、プラスチック材料またはいずれかの他の適当なタイプの材料もしくは材料群を含み得る。そのフロートおよび側壁は、単一構造のものであり得る。
【０００８】
そのエアリフト組立部は、いずれかの適当な構造のものであり得、プラスチック材料のごときいずれかの適当な材料を含み得る。そのエアリフト組立部は、タンクの幅を横切る酸素化された水を誘導するための複数の通路を含み得る。好ましくは、そのエアリフト組立部は、給気部から通路へ空気を供給するためのマニホールドを含む。そのマニホールドは、各通路に入る空気量を調節するためのタップのごとき少なくとも一つの開口部材を含む。
【０００９】
通路は、好ましくは、一対の間隙壁とその間隙壁間に相互に平行して伸びる複数の間隙中間壁により設けられる。各通路の頂部は、ランプ（ramp）を超えて位置でき、各々の該通路の底部は、マニホールドにより送気できる。
【００１０】
水路は、さらに、タンク内の魚が通路に接近するのを防止するためのスクリーンを含み得る。そのスクリーンは、例えば、スクリーン・メッシュ、格子またはグリルであり得る。好ましくは、その末端壁組立部は、通路の頂部に隣接するランプから上方に伸びるスクリーンを含み、そのスクリーンは、それを通して酸素化された水を流すことができる開口部を有する。そのスクリーンは、プラスチック材料またはいずれかの他の適当なタイプの材料もしくは材料群を含み得る。
【００１１】
その水路は、水路に収納された水域（body of water）内の魚が、エアリフト組立部へ接近するのを防止するためのスクリーン・バリアーをさらに含み得る。そのスクリーン・バリアーは、プラスチック材料またはいずれかの他の適当なタイプの材料もしくは材料群を含み得る。好ましくは、そのスクリーン・バリアーは、ステンレス鋼フレーム中の亜鉛メッキした（galvanised）メッシュを含む。
【００１２】
そのランプは、タンクを通る水の流れを方向付けし、魚の糞便および過剰な魚の食餌（feed）を含めた魚の排出物がタンクの取水末端部に隣接する底面上に蓄積するのを防止するのに重要である。すなわち、その末端壁組立部が底面から垂直に伸びる末端壁を含むならば、水の流れの方向付けのために、そのタンクは、末端壁に隣接する「デッド・スポット（dead spot）」を有し、魚の排出物は、そのデッド・スポット内に蓄積するであろう。そのランプは、底面およびゲート組立部に向かっていずれかの角度−直線的（angle-linearly）あるいは曲線状に伸び得る。そのランプは、例えば、４５°の角度にて伸び得る。好ましくは、そのランプは、底面まで曲線状に伸びる。
【００１３】
調節板は、いずれかの適当な形およびサイズのものであり得、いずれかの適当な材料もしくは材料群よりなり得る。好ましくは、調節板は、側壁に配置された調節板の頂部およびその側壁間に伸びる調節板の下端を含む側面図中で観察する場合に調節板がＴ型である。その調節板は、タンクからの魚の排出物をフラッシュするための底面に沿った最適な水の動きを創製するように位置させ、タンク中の最適な給餌点（feeding point）も決定できる。
【００１４】
ゲート組立部は、いずれかの適当な構造のものであり得る。そのゲート組立部は、側壁、および所望により、底面まで連結可能な骨組みを有することができる。その骨組みは、いずれかの適当な配置の直立材および横材を含み得る。骨組みの頂部は、タンクの一側壁から他側壁へ横断することを望む人のための通路として機能できる。
【００１５】
その骨組みは、取り外し可能なゲートをスライド可能に支えるための間隔を規定できるか、あるいはトラックを設けることができる。骨組みは、垂直に伸びるトラックを有することができ、その取り外し可能なゲートは、トラック内でスライド可能な対向末端（opposing end）を有することができる。好ましくは、骨組みは、一対のスクリーン・ゲートおよび一対の停止ゲートをスライド可能に支える間隔を含み、ここに、その対の該スクリーン・ゲートは、第１の平面内に伸び、かつその対の停止ゲートは、第１の平面とは間隔を空け、それと平行である第２の平面で伸びる。
【００１６】
骨組みは、例えば、ステンレス鋼のごときいずれかの適当な材料もしくは材料群を含み得る。そのゲートは、クリーニング目的または他のタイプのゲートでの置換のために骨組みから取り出すことができる。
【００１７】
停止ゲートおよびスクリーン・ゲートは、いずれかの適当な構造のものであり得る。好ましくは、停止ゲートは、木製ボード、パネルまたはステンレス鋼のシートを含む。好ましくは、そのスクリーン・ゲートはフレームを有し、スクリーン・ゲートの少なくとも低領域は、魚の排出物の移動をそれを通して可能とする開口部を持つメッシュを有する。そのフレームは、例えば、ステンレス鋼を含むことができ、そのメッシュは亜鉛メッキできる。
【００１８】
水路は、タンクの取水末端および排出末端間を分け、移動できるスクリーン・プッシュ・ゲートをさらに含み得る。そのプッシュ・ゲートは、いずれかの適当な構造のものであるが、好ましくは、フレーム内に伸びるメッシュを持つフレームを含む。そのプッシュ・ゲートを用いて、サイズに応じて魚を区分でき、ここに、そのメッシュの開口部より小さな魚は、その開口部を通って泳ぐことができる。そのプッシュ・ゲートは、いずれかの適当な材料もしくは材料群を含み得る。例えば、そのフレームは、ステンレス鋼を含むことができ、そのメッシュは亜鉛メッキできる。
【００１９】
水路はタンクの一方の末端から他方へ押される場合のプッシュ・ゲートを導くための手段を含み得る。好ましくは、各々の該側壁の上部領域は、それに沿って伸びるトラックまたは陥凹部（recess）を有し、そのプッシュ・ゲート・フレームは、トラックまたは陥凹部内でスライド可能な対向末端を有する。
【００２０】
水路は、人がタンクの一方の側壁から他方に横切るのを可能とするために少なくとも一つの取り外し可能な橋をさらに含み得る。その橋は、当業者に知られたいずれかの適当なタイプの橋であり得、いずれかの適当な材料もしくは材料群を含み得る。
【００２１】
水路は、タンクを隠す、およびタンク内の魚を捕食者から保護する双方のための１以上のカバーを含み得る。そのカバーは、例えば、ブラインド・クロス（shade cloth）または防水布を含み得る。そのカバーは、フロートに連結できる。水路は、カバーをフロートに付着させるために各フロート上に配置したクリート（cleat）を含み得る。
【００２２】
水路は、魚に給餌するための食餌ユニットをさらに含み得る。その食餌ユニットは、側壁間に伸び得る。自動および手動の食餌ユニットは、当該技術分野においてよく知られている。
【００２３】
好ましくは、水路はモジュール設計のものである。好ましくは、各々の該側壁および該フロートの区域と一緒の底面の区域は、タンク伸長モジュールを含み、２以上の該タンク伸長モジュールは、タンクの長さを増大させるように末端部と末端部とを接して（end-to-end）連結可能である。
【００２４】
タンクの排出末端部でのゲート組立部は、タンク伸長モジュールの自由端に連結可能であり得る。
【００２５】
水路は、さらなるゲート組立部を含み、これらを隣接するタンク伸長モジュール間に連結できる。
【００２６】
好ましくは、その末端壁組立部は、各々の該タンク側壁およびフロートの区域を有するエアリフト・ハウジング・モジュールの一部分であり、そのエアリフト・ハウジング・モジュールは、該タンク伸長モジュールの自由端に連結可能である。エアリフト・ハウジング・モジュールの各側壁は、末端壁組立部を過ぎて伸び、エアリフト組立部の対向末端をスライド可能に支えるためのトラックまたは陥凹部を有し得る。エアリフト・ハウジング・モジュールの各々の該側壁は、スクリーン・バリアーの対向末端をスライド可能に支えるさらなるトラックまたは陥凹部を有し得る。エアリフト・ハウジング・モジュールの各々の該側壁は、末端壁組立部のスクリーンの対向末端をスライド可能に支えるためのさらなるトラックまたは陥凹部を有し得る。
【００２７】
水路のモジュールおよび他のパーツは、いずれかの適当な方法で相互に連結できる。好ましくは、そのタンク伸長モジュールおよびそのエアリフト・ハウジング・モジュールは、一緒に連結可能な側面に沿って伸びるフランジを有し、ゲート組立部は、該タンク伸長モジュールのフランジに連結可能なフランジを有する。そのフランジは、例えば、ボルトで一緒に連結できる。
【００２８】
水路は、魚排出物を採取および廃棄するための排出物収集モジュールをさらに含み得る。その排出物収集モジュールは、いずれかの適当な構造であり得る。その排出物収集モジュールは、タンクの排出末端部にてゲート組立部に連結できる。その排出物収集モジュールは、好ましくは、
ポンプに連結可能な溝（trough）を有する底部壁；
底部壁から伸びる一対の直立した壁；
排水口（outlet）を有し、直立した壁の間に伸び、底部壁から上方にかつ外部に傾斜する外側壁；
溝中に採取された魚の排出物を除去するための排出物抽出（extraction）システム；および
水の流れを溝に方向付け、外壁に対する水の流速を低下させるための直立した壁間に伸びる調節板を含む。
【００２９】
排出物抽出システムは、例えば、溝に連結した排水管および該管に連結した真空ポンプを含み得る。そのポンプは溝から沈降タンクに魚の排出物を転送でき、排出物を取り除いた水は水路に流れている水域に戻すことができる。その溝は、底部壁を横切って、一方の該直立した壁から他方へ伸び、断面にて観察する場合に実質的にＶ型であり得る。
【００３０】
その水収集モジュールの壁は、プラスチック材料のごときいずれかの適当な材料もしくは材料群を含み得る。
【００３１】
排出物収集モジュール調節板は、タンク調節板と類似する構造のものであり得る。好ましくは、その排出物収集モジュール調節板は、直立した壁上に配置されたその収集モジュール調節板の頂部と、直立した壁間の外壁排水口下の点まで伸びる調節板の下端とを含む側面図で観察する場合にＴ型である。
【００３２】
外壁排水口は、メッシュで仕切ることができる。そのメッシュは、水域からの魚が排出物収集モジュールに入り、溝中に採取された魚の排出物を餌とできる。
【００３３】
排出物収集モジュールは、底部壁から側面に沿って伸びるフランジを含み、該フランジは、ゲート組立部に連結できる。
【００３４】
好ましい具体例の記載
全ての図面において、同様の引用番号は同様のパーツをいう。
【００３５】
図は、魚を養殖するための浮揚性水路１または浮揚性水路１のパーツを示す。図１〜５にまず言及すると、該水路１には、（図１に記載のように）魚を収容するための水中タンク２、該タンク２の頂部を水位を超えて保つためのフロート３、酸素化された水を該タンク２まで誘導するための給気部に連結可能なエアリフト組立部４、および該タンク２内で水の流れを方向付けるための調節板１４が含まれる。
【００３６】
該タンク２は、底面５、一対の対向側壁６、該タンク２の取水末端部にてランプ９を有する末端壁組立部７、および該タンク２の水排出末端にて取り外し可能なゲート１０、１１を有するゲート組立部８を有する。該タンク２内の側壁６および底面５の表面は、これらの表面上の魚の糞便および食べ残された食餌を含めた魚の排出物の集積を最小限とするために滑らかである。図２に記載のように、補強リブ（標識せず）は、側壁６および底面５の外部表面に沿って伸びることを示す。図１は、ランプ９が底面５までゲート組立部８の方向に曲線状に伸びる。末端壁組立部７には、ランプ９から上方に伸びたスクリーン・メッシュ２９が含まれる。そのランプ９は、タンク中の「デット・スポット」を消失させる。すなわち、それは、タンク２の取水末端部にて魚の排出物の集積を防止する。
【００３７】
ゲート組立部８は、２つのスクリーン・ゲート１０、２つの停止ゲート１１および側壁６に垂直にゲート１０、１１を支持するための骨組み７０を含む。図２、３、５および１２〜１４に記載のように、骨組み７０は、一対の上部横材７１、中央横材７６および下部横材７５により相互に連結した３つの直立部材７２、７３、７４を含む。上部横材７１は、一方の側壁６から他方の側壁６に横切ることを望む人のための通路として機能する。直立部材７２、７３、３４および横材７１、７５、７６は、ゲート１０、１１が平面に平行に間隔を空けて伸びるようにゲート１０、１１をスライド可能に支えるための間隔を規定する。これは、図３に最良に記載される。この構造では、ゲート１０、１１は、クリーニング目的または他のタイプのゲートとの置換のために個々に取り外しができる。骨組み７０は、ステンレス鋼を含む。
【００３８】
各スクリーン・ゲート１０は、図５に記載のように、直角のステンレス鋼フレームおよびその中に伸びる亜鉛メッキしたメッシュ（標識せず）を含む。魚の排出物は、そのメッシュの開口部を通ってタンク２からフラッシュされる。
【００３９】
各停止ゲート１１は、ステンレス鋼シートを含み、その停止ゲート１１が骨組み７０に嵌め込む場合、それらはタンク２から水の排出を実質的に停止する。
【００４０】
図１、３および８ないし１１に今言及すると、エアリフト組立部４は、タンク２の幅を横切って酸素化された水を誘導するために複数の通路（いくつかのみを標識）、および給気部から各通路２０へ空気を供給するためのマニホールドを含む。図３に記載のように、通路２０は、一対の間隙壁２２、２３、および壁２２、２３間に相互に平行に伸びた複数の間隙中間壁２４（いくつかのみを標識）により設けられる。その間隙壁２２、２３および中間壁２４は、プラスチック材料を含む。各通路２０の頂部は、ランプ９を超えて、スクリーン・メッシュ２９に隣接して位置する。マニホールド２１から通路２０へ排出された空気は、通路２０およびスクリーン・メッシュ２９を通って、タンク２へ水を持ち上げる。
【００４１】
図１および３に記載のように、マニホールド２１は、管２５、管２５と各通路２０との間に伸びた排水口ノズル２６（図１に示す）、および管２５の末端を給気部（示さず）に連結するホース２７を含む。マニホールド２１は、各通路２０に入る空気量を調節するためのタップ（示さず）を有する。
【００４２】
図４に記載のように、水路１は、水路１が浮揚する水域内の魚がエアリフト組立部４に接近するのを防止するためのステンレス鋼フレーム内の亜鉛メッキされたメッシュを含むスクリーン・メッシュ２８を含む。
【００４３】
水路１は、各側壁６の上部領域に沿って伸びた複数のフロート３を有する。そのフロート３は、通路として機能する。各フロート３は、空気を充填した細長い、実質的に直角のハウジングを含む。そのフロート３および側壁６は、単一構造である。フロート３は、図４および５に最良に記載される。
【００４４】
水路１は、タンク２を覆うためのカバー３５（図３に部分的に示す）を有する。そのカバー３５は、ブラインド・クロス（shade cloth）を含み、タンク２を隠し、ならびにタンク２内の魚を鳥、ミズネズミおよびカメのごとき捕食者から保護する。クリート（示さず）は、カバー３５ないしフロート３を固定する。
【００４５】
調節板１４は、横断面で観察する場合にＴ型である。各側壁６は、その上に「Ｔ」の頂部を配置する側壁の長さに伸びた肩／トラック１００を有し、「Ｔ」の下端は側壁６間に保持される。調節板１４は、底面５に沿った最適な水の移動を創製し、タンク２内の最適な給餌点を決定するように配置される。
【００４６】
（切り取り図を示す）図３に記載のように、水路１は、人がタンク２の一側から他側へ横切るのを可能とする拡張されたメッシュ頂部を持つ亜鉛メッキされたスチール部材を含む取り外し可能な橋５０を有し得る。
【００４７】
図１および３は、水路１がタンク２の取水末端部と排出末端部とを分け、それらの間を移動できるスクリーン・プッシュ・ゲート１１０を有する。該プッシュ・ゲート１１０は、フレーム１１１内に伸びた亜鉛メッキしたメッシュ１１２を持つステンレス鋼フレーム１１１を含み、フレーム１１１の頂部は、肩１００上に配置されている。該プッシュ・ゲート１１０を用いて、サイズに応じて魚を区分でき、ここに、そのメッシュの開口部より小さな魚は、その開口部を通って泳ぐことができる。
【００４８】
水路１は、好ましくは、モジュール設計のものである。図６および７は、側壁６およびフロート３の区域と一緒に底面５の区域が、タンク伸長モジュール９０を含むことを示す。モジュール９０は、成形工程によりプラスチック材料より作成される。そのモジュール９０は、タンク２の長さを増加させるように末端部と末端部とを接して連結可能である。図１〜３は、２つのかかるモジュール９０を有する水路１を示す。各モジュール９０は、フロート３、側壁６および底面５から側面に沿って伸びたフランジ６０を有し、同様のモジュール９０の同様のフランジ６０は、ボルト６１で一緒に連結される。（フランジ６０は、いくらかの図で明確に示していないことに留意されたし。）
【００４９】
図２、３および５は、ゲート組立部８がボルト６１でタンク伸長モジュール９０の同様のフランジ６０に連結する垂直に伸びたフランジ９１を有することを示す（そのうちのいくつかのみを標識）。図には示さなかったが、さらなるゲート組立部は、隣接するタンク伸長モジュール９０間に連結でき、全タンクが多数のより小さなタンクに分割できる。
【００５０】
図８ないし１１は、その末端壁組立部７が、各々のタンク側壁６およびフロート３の区域を有するエアリフト・ハウジング・モジュール９２の一部分であることを示す。そのエアリフト・ハウジング・モジュール９２は、タンク伸長モジュール９０のもののようなフランジ６０（いくつかの図では明確には示さず）を有し、モジュール９２および９０のフランジはボルト６１で相互に連結される。これは、図２および３において最良に記載される。
【００５１】
エアリフト・ハウジング・モジュール９２の各側壁６は、エアリフト組立部４の対向末端をスライド可能に支えるために第１の陥凹部９３を有する。これは、図８に最良に記載される。エアリフト・ハウジング・モジュール９２の各側壁６は、ランプ９の溝（groove）から上方に伸びたスクリーン・メッシュの対向末端をスライド可能に支えるために第２の陥凹部９４を有する。また、側壁６は、図９および１１に最良に記載されるようにスクリーン・バリアー２８の対向末端をスライド可能に支えるために第３の陥凹部９５を有する。
【００５２】
エアリフト・ハウジング・モジュール９２は、ランプ９から側壁６間に伸びた底面９６を有する。その底面９６は、スクリーン・バリアー２８の底部を配置する陥凹部９７を有する。
【００５３】
図１５に記載されるように、水路１は、魚の排出物を収集および廃棄するためのゲート組立部８に連結された棄物収集モジュール４０を含み得る。その棄物収集モジュール４０は、一対の側壁４１、スロープしている末端壁部４４、溝４３を有する底面４２、調節板４５、および溝４３に採取された排出物を除去するための排出物抽出システムを有する。その溝４３は、底面４２を横切って側壁４４から側壁４４へ伸びている。
【００５４】
末端壁部４４は、側壁４１間に伸び、ゲート組立部８から離れて角度をもって底面４２から伸びている。末端壁部４４は、水をふるいに掛ける排水口４７を有する。
【００５５】
調節板４５は、調節板１４に同様である。その調節板４５は、水の流速を遅くし、水を溝４３を過ぎて下へ方向付ける。
【００５６】
排出物抽出システムは、排水管４６、および該管４６に連結された真空ポンプ（示さず）を含む。この配置では、排出物は、溝４３から沈降タンクへ送り込まれ、浄化した水をその水域に戻すことができる。
【００５７】
図１５に明確には示さないが、排出物収集モジュール４０の側壁部４４は、ゲート組立部８のものと同様に側面に沿って伸びたフランジを有し、これらのフランジは、ボルトでゲート組立部８のフランジ９１に連結される。
【００５８】
本発明の水路１は、池およびケージ養殖システムを超えて多数の有利さを有する。水路１の大部分の有利さは、養殖条件の全体的なコントロールおよびモニタリングを可能とすることである。その水路１は、日常ベースで、食餌消費をモニターでき、分析でき、調整できる。水路１は、そのシステムネットを通って落ちるか、あるいは池の底上の泥に堆積するために、ケージおよび池のシステムで生じる食餌の潜在的な損失を最小限とする。
【００５９】
また、水路１は、環境保護指定区域において魚を養殖する場合に重要である魚の排出物のコントロールおよび測定を可能とする。水路１は、さらに、魚を全般的な成長、衛生および病気につき密接にモニターできる。病気の発生がある事象において、タンク２中の水を停止ゲート１１を経由して単離でき、タンク２内の魚を容易に処置できる。池養殖システムにおいては、全水域を処理しなければならないであろう。水路１を処理するのに必要とされる労働時間は、約１５ないし２０分間であるが、ケージ養殖システムのケージを処理するためには、処理されるのに十分にケージが単離される時点まで６人時を要し得る。
【００６０】
水路１のさらなるもう一つの有利さは、エアリフト組立部４が、水の溶存酸素含量を増加させつつ一緒にタンク２内に水を移動する効率的な方法であることである。水路１に含まれる水容積は、通常、（タンク容量に依存して）数分毎に全く変更され、かくして、魚が生存し、成長するのに極めて有利な環境を創製する。
【００６１】
また、水路１は、魚貯蔵の取り扱いにおける有利さを提供する。格付け（grading）は、魚の貯蔵をより同等のサイズに保つように行うことができ、それはより均一な成長および競争力を可能とする。初期の格付けは、小さな魚がそれを通って泳ぎ、大きな魚が収穫されるのを可能とするか、またはもう一つの水路に移されるための水路１の一方の末端部へ押されるのを可能とするスクリーンを有するプッシュ・ゲート１１０の使用で行うことができる。そのプッシュ・ゲート１１０は、水路１中で全ての貯蔵物を取り扱う要求を消失させる。さらに、水路１は、一つの水路１内に複数のタンクを創製するために１以上のゲート組立部を有することができる。
【００６２】
もう一つの有利さは、タンク２が十分に覆われているという点で、水路１が、鳥、ミズネズミおよびカメのごとき捕食者により引き起こされる問題を最小限とすることである。
【００６３】
水路１は、モジュラー形態の場合には、輸送するのが容易で、組立てに際して頑丈である。さらに、水路１は、水域内で容易に操作でき、複数の水路が、相互に保証できる。そのフロート３は、通路として二役を演じ、これは、検査およびクリーニング目的のためのタンク２への容易なアクセスを可能とする。
【００６４】
前記は、本発明の例示的な例の方法により与えられたが、本明細書に記載された本発明の広範囲の範囲および領域から逸脱することなく、当業者ならば多数の修飾および変形をそれに対して成し得るであろう。
【図面の簡単な説明】
【００６５】
【図１】図１は、本発明の具体例による、矢印により示された水の流れの方向付けを含む魚を養殖するための水路の縦断面図である。
【図２】図２は、図１に示した水路の側立面図である。
【図３】図３は、図１に示した水路の部分的に詳細な平面図である。
【図４】図４は、図１に示された水路の取水末端部の部分的な末端立面図である。
【図５】図５は、図１に示された水路の水排出末端部の部分的な末端立面図である。
【図６】図６は、図１に示された水路のタンク伸長モジュールの部分的に詳細な側立面図である。
【図７】図７は、図６に示されたタンク伸長モジュールの部分的に詳細な末端立面図である。
【図８】図８は、図１に示された水路のエアリフト・ハウジング・モジュールの詳細な等角投影図（isometric view）である。
【図９】図９は、図８に示されたエアリフト・ハウジング・モジュールの詳細な側立面図である。
【図１０】図１０は、図８に示されたエアリフト・ハウジング・モジュールの詳細な末端立面図である。
【図１１】図１１は、図８に示されたエアリフト・ハウジング・モジュールの詳細な平面図である。
【図１２】図１２は、図１に示された水路の一部のゲート組立部の正面立面図である。
【図１３】図１３は、図１２に示されたゲート組立部の平面図である。
【図１４】図１４は、図１２に示されたゲート組立部の側立面図である。
【図１５】図１５は、本発明の具体例による排出物収集モジュールを含む場合の図１に示された水路の縦断面図である。
【図１】
2005508644.tif 000003
【図２】
2005508644.tif 000004
【図３】
2005508644.tif 000005
【図４】
2005508644.tif 000006
【図５】
2005508644.tif 000007
【図６】
2005508644.tif 000008
【図７】
2005508644.tif 000009
【図８】
2005508644.tif 000010
【図９】
2005508644.tif 000011
【図１０】
2005508644.tif 000012
【図１１】
2005508644.tif 000013
【図１２】
2005508644.tif 000014
【図１３】
2005508644.tif 000015
【図１４】
2005508644.tif 000016
【図１５】
2005508644.tif 000017
【国際調査報告】
2005508644.tif 000018
2005508644.tif 000019
2005508644.tif 000020